(57)【要約】【課題】  ディスク状記録媒体の回転中に誤って蓋体が開放された際のチャッキングプレートと蓋体との衝突により発生する騒音を低減する。【解決手段】  ディスク状記録媒体２を回転駆動するディスク回転駆動機構１１が設けられたディスク装着部４を有する機器本体３と、機器本体３に回動可能に取り付けられ、ディスク装着部４を開放又は閉塞する蓋体５と、ターンテーブル１２との間にディスク状記録媒体２を挟んで保持するチャッキングプレート１３と、チャッキングプレート１３を支持する支持部材１４とを備え、チャッキングプレート１４と支持部材１４との当接する部分には、緩衝材が設けられる。【選択図】  図２
2007052865.tif 000002
【特許請求の範囲】
【請求項１】
ディスク状記録媒体を回転駆動するディスク回転駆動機構が設けられたディスク装着部を有する機器本体と、
上記機器本体に回動可能に取り付けられ、上記ディスク装着部を開放又は閉塞する蓋体と、
上記蓋体に取り付けられ、上記ディスク回転駆動機構のターンテーブルとの間に上記ディスク状記録媒体を挟んで保持するチャッキングプレートと、
上記蓋体に設けられ、上記チャッキングプレートを支持する支持部材とを備え、
上記チャッキングプレートと上記支持部材との当接する部分に、緩衝材が設けられるディスクプレーヤ。
【請求項２】
上記チャッキングプレート及び上記ターンテーブルは、一方にマグネットを有し、他方に磁性材を有し、
上記一方に設けられたマグネットは、他方に設けられた磁性材を吸引することで、上記チャッキングプレートと上記ターンテーブルとの間に上記ディスク状記録媒体を保持する請求項１記載のディスクプレーヤ。
【請求項３】
上記支持部材は、上記蓋体の内面側に立ち上がり形成された周壁と、この周壁の先端に内側に向けて突出して形成された複数の係合部とからなり、
上記チャッキングプレートは、蓋体側の先端に上記係合部に係合される突部を有する請求項１記載のディスクプレーヤ。
【請求項４】
上記緩衝材は、上記チャッキングプレートの上記突部に形成されている請求項３記載のディスクプレーヤ。
【請求項５】
上記緩衝材は、上記支持部材の上記複数の係合部を覆うように形成されている請求項３記載のディスクプレーヤ。
【請求項６】
上記チャッキングプレートは、上記緩衝材により形成されている請求項１記載のディスクプレーヤ。
【請求項７】
上記緩衝材は、硬度が５０〜８０°である請求項１記載のディスクプレーヤ。
【発明の詳細な説明】
【技術分野】
【０００１】
本発明は、機器本体に回動可能に取り付けられる蓋体を有するディスクプレーヤに関する。
【背景技術】
【０００２】
従来から、例えば、特許文献１乃至特許文献３に示すように、回動支軸を介して機器本体の上面に回動自在に取り付けられる蓋体を有するディスクプレーヤがある。この蓋体には、本体側のターンテーブルとの間にディスク状記録媒体を保持するためのチャッキングプレートが所定の隙間を有して取り付けられる。すなわち、チャッキングプレートは、蓋体が閉塞された状態では、蓋体に非接触な状態でディスク状記録媒体とともに回転し、蓋体が開放操作された状態では、蓋体と共にディスク状記録媒体から離間する方向に移動される。
【０００３】
かかるディスクプレーヤにおいて、ディスク状記録媒体の回転中に誤って蓋体が開放されたときに、慣性により回転されるチャッキングプレートが蓋体に衝突し、ユーザにとって不快な音が発生する等の問題が発生するおそれがある。
【０００４】
すなわち、チャッキングプレートは、蓋体が閉塞した状態で、内蔵するマグネットによってディスク状記録媒体をターンテーブル側に押し付け、蓋体には接触せずにディスクと一体に回転される。そして、蓋体が開くときにチャッキングプレートを支持するための支持部材がチャッキングプレートに係合しチャッキングプレートを持ち上げることでターンテーブルから離間する。
【０００５】
上述のようにディスク状記録媒体の回転中に誤って蓋体が開放動作されたとき、慣性により回転力が残存しているチャッキングプレートは、蓋体の支持部材によりディスク状記録媒体から離間されると、不安定な動きをし、蓋体やこの支持部材に衝突する。このチャッキングプレートと蓋体との衝突によりユーザにとって不快な音が発生してしまう。
【０００６】
【特許文献１】特開昭５９−２０１２８２号公報
【特許文献２】特開平４−１８２９６１号公報
【特許文献３】実公平３−１３９０３号公報
【発明の開示】
【発明が解決しようとする課題】
【０００７】
本発明の目的は、ディスク状記録媒体の回転中に誤って蓋体が開放された際のチャッキングプレートと蓋体との衝突により発生する騒音を低減できるディスクプレーヤを提供することにある。
【課題を解決するための手段】
【０００８】
本発明に係るディスプレーヤは、ディスク状記録媒体を回転駆動するディスク回転駆動機構が設けられたディスク装着部を有する機器本体と、上記機器本体に回動可能に取り付けられ、上記ディスク装着部を開放又は閉塞する蓋体と、上記蓋体に取り付けられ、上記ディスク回転駆動機構のターンテーブルとの間に上記ディスク状記録媒体を挟んで保持するチャッキングプレートと、上記蓋体に設けられ、上記チャッキングプレートを支持する支持部材とを備え、上記チャッキングプレートと上記支持部材との当接する部分に、緩衝材が設けられる。
【発明の効果】
【０００９】
本発明に係るディスクプレーヤは、ディスク状記録媒体の回転中に蓋体が開放された際のチャッキングプレートと蓋体との衝突により発生する騒音を低減することができる。
【発明を実施するための最良の形態】
【００１０】
以下、本発明を適用したディスクプレーヤについて図面を参照して説明する。
【００１１】
本発明を適用したディスクプレーヤ１は、図１及び図２に示すように、ディスク状記録媒体２を回転駆動するディスク回転駆動機構１１が設けられたディスク装着部４を有する機器本体３と、ディスク装着部４に装着されたディスク状記録媒体２に対して情報を記録及び／又は再生する記録再生部として光ピックアップ６と、機器本体３に回動可能に取り付けられ、ディスク装着部４を開放又は閉塞する蓋体５と、蓋体５に取り付けられ、ディスク回転駆動機構１１のターンテーブル１２との間にディスク状記録媒体２を挟んで保持するチャッキングプレート１３と、蓋体５に設けられ、チャッキングプレート１３を支持する支持部材１４とを備える。
【００１２】
機器本体３は、図１に示すように、表示部２６、各種操作ボタン２７、及びスピーカが設けられる前面部２１と、各種ジャック部が設けられ前面部２１に対向する背面部２２と、蓋体５と各種操作ボタン２８とが設けられ上面部２３と、机等の接地面に接地される底面部２４とを有する。また、機器本体３には、蓋体５を開放する図１中矢印Ｒ１方向に付勢する図示しない付勢手段と、蓋体５を閉塞状態に保持するロック機構１８が設けられる。
【００１３】
ディスク装着部４は、図２に示すように、機器本体２の上面部２３に凹状に形成される。ディスク装着部４に設けられたディスク回転駆動機構１１は、シャーシ３１にゴムダンパ３２を介して取り付けられる。ディスク回転駆動機構１１は、スピンドルモータ３３と、スピンドルモータ３３の軸に取り付けられ、ディスク状記録媒体２を載置するターンテーブル１２とを有する。ターンテーブル１２には、後述するチャッキングプレート１３に設けられるマグネット４４と吸引力を発生させるための磁性材が内蔵される。
【００１４】
蓋体５は、図１及び図２に示すように、回動支軸７を介して機器本体３の上面部２３に回動可能に取り付けられ、回動支軸７を中心にターンテーブル１２に対して傾斜する矢印Ｒ１方向又は矢印Ｒ１方向の反対方向である矢印Ｒ２方向に回動操作されることにより、ディスク装着部４を閉塞又は開放する。また、蓋体５は、閉塞位置において機器本体２のロック機構１８に係合されることにより、閉塞状態に保持されるための係合部材１７が設けられる。係合部材１７及びロック機構１８は、閉塞状態において、蓋体５の前面部２１側に設けられた押圧部５ａが押圧されることにより、ロック機構１８の係合部材１７へのロック状態が解除され、蓋体５の開放する矢印Ｒ１方向への回動操作を可能とする。蓋体５は、ロック機構１８の係合部材１７への係合が解除されることにより、付勢手段により開放する矢印Ｒ１方向に付勢されることでディスク装着部４を開放できる。
【００１５】
また、係合部材１７及びロック機構１８は、開放状態において、蓋体５を閉塞する図１中矢印Ｒ２方向へ回動させて機器本体３側に回動させることにより、ロック機構１８が係合部材１７に係合する所謂ロック状態となり、付勢手段による蓋体５の開放方向である矢印Ｒ１方向への回動動作を規制して蓋体５を閉塞状態に保持する。蓋体５は、付勢手段に対抗して閉塞する方向である矢印Ｒ２方向に操作されることでディスク装着部４を閉塞して、ロック機構１８を機能させることにより閉塞状態に保持される。蓋体５は、回動操作されることにより、ディスク装着部４を開放して、ディスク状記録媒体２の装着、取り外しを行うことを可能とする。
【００１６】
尚、ここでは、蓋体５の開放動作及び閉塞動作を蓋体５の押圧部５ａを押圧操作によりロック機構をロック状態又はロック解除するように構成したが、これに限られるものでなく、ロック機構を解除するロック解除手段等を設ける構成としてもよい。
【００１７】
閉塞状態とされた蓋体５は、ディスクプレーヤ１の接地面に対して傾斜され、機器本体２の外面、すなわち、上面部２３と同一平面を形成する。
【００１８】
蓋体５の内面側、すなわち、機器本体３側には、図２に示すように、ターンテーブル１２との間にディスク状記録媒体２を挟んで保持するチャッキングプレート１３と、このチャッキングプレート１３を支持する支持部材１４とが設けられている。
【００１９】
チャッキングプレート１３は、図２、図３及び図４に示すように、略円盤状に形成されターンテーブル１２との間にディスク状記録媒体２を挟んで保持するディスク抑え部４１と、ディスク抑え部４１に比べて径が小さい断面円形状を有する円筒状に形成されるチャッキングプレート本体部４２と、チャッキングプレート本体部４２のディスク抑え部４１が設けられたのと反対側に形成され、蓋体５の支持部材１４に支持される円盤状に形成される突部４３とが設けられる。この突部４３は、チャッキングプレート本体部４２の断面に比べて径が大きな円盤状に形成され、後述する支持部材１４の第１乃至第４の係合部５１，５２，５３，５４に係合され、チャッキングプレート１３を蓋体５に対して所定の隙間を有して取り付けるものである。
【００２０】
また、チャッキングプレート１３は、図２、図３及び図４に示すように、チャッキングプレート本体部４２の内部に設けられ、ターンテーブル１２に設けた磁性材を吸引する吸引力を有する吸引部材としてマグネット４４と、このマグネット４４をチャッキングプレート１３に固定するためのマグネット抑え板４５と、マグネット抑え板４５をチャッキングプレート１３に固定するためのネジ４６とを有する。
【００２１】
チャッキングプレート１３は、突部４３が蓋体５側の支持部材１４により支持されることで蓋体５に対して一定の範囲で可動できるように支持されている。すなわち、チャッキングプレート１３は、蓋体５が機器本体２のディスク装着部４を閉塞している際には、蓋体５に接触していない状態とされ、内蔵したマグネット４４によりターンテーブル１２の磁性材に吸引されて、ターンテーブル１２との間にディスク状記録媒体２を挟んで保持し、ターンテーブル１２及びディスク状記録媒体２とともに回転できる状態とされている。また、チャッキングプレート１３は、蓋体５が機器本体２のディスク装着部４を開放している際には、蓋体５の支持部材１４に係合されて、図１中矢印Ｒ１方向に回動される蓋体５とともに移動される。
【００２２】
また、チャッキングプレート１３と支持部材１４との当接する部分には、すなわち、チャッキングプレート１３及び支持部材１４の少なくともいずれか一方には、他方と接触して当接する部分に、柔軟性を有する緩衝材が設けられている。
【００２３】
ここでは、このチャッキングプレート１３自体が、例えば、硬度６０〜７０°程度のエラストマー等の緩衝材により形成されている。このエラストマーとして、例えば、三菱化学株式会社製ラバロンＦＪ７３７０Ｃ（商品名）が用いられる。また、この緩衝材として、硬度６０〜７０°程度のシリコーンゴムを用いてもよく、さらに、硬度５０〜８０°の材料により形成してもよい。このシリコーンゴムとして、例えば、信越ポリマー株式会社製９７１ＴＵ（商品名）が用いられる。
【００２４】
チャッキングプレート１３を緩衝材により形成したことにより、チャッキングプレート１３が回転している時に蓋体５が開蓋動作され、ディスク状記録媒体から離間した状態で慣性により回転を続けるチャッキングプレート１３が支持部材１４に接触して衝突・当接したときにも、騒音が発生することを防止することができる。
【００２５】
ここで、チャッキングプレート１３を構成する緩衝材として、硬度８０°以上のものを用いた場合では、硬さにより衝撃音が大きくなってしまい、硬度５０°以下のものを用いた場合では、チャッキングプレート１３の支持部材１４に保持されたとき自立ができにくくなり、支持部材１４の後述する第１乃至第４の係合部５１，５２，５３，５４の間に挟まる等の不具合が生じるおそれがあり、チャッキングプレート１３の円滑な回転が困難となってしまう。すなわち、緩衝材として硬度５０〜８０°程度の材質を用いれば、かかる問題が発生することなく、チャッキングプレート１３の支持部材１４への衝突による騒音を防止することができる。また、緩衝材として硬度６０〜７０°程度のものを用いれば最適な効果、すなわち、最適な回転を得ることができるとともに、騒音を防止することができる。
【００２６】
また、チャッキングプレート１３を緩衝材により形成したことにより、上述の騒音を防止する効果が得られると共に、慣性により回転するチャッキングプレート１３の回転を素早く停止させることが可能となる。
【００２７】
尚、ディスクプレーヤ１において、チャッキングプレート１３にマグネットを内蔵し、ターンテーブル１２に磁性材を内蔵するように構成したが、これに限られるものではなく、マグネット及び磁性材がそれぞれ反対側に内蔵するように構成しても良い。すなわち、チャッキングプレート１３及びターンテーブル１２は、少なくとも一方にマグネットを有し、他方に磁性材を有するように構成し、この一方に設けられたマグネットが他方に設けられた磁性材を吸引することでチャッキングプレート１３とターンテーブル１２との間にディスク状記録媒体２を保持するように構成すればよい。
【００２８】
支持部材１４は、図２、図４及び図５に示すように、蓋体５の内面側に立ち上がり形成された円筒状の周壁５０と、この周壁５０の先端に内側に向けて突出してツメ状に形成された第１乃至第４の係合部５１，５２，５３，５４とからなる。周壁５０は、チャッキングプレート１３の突部４３より大径に形成され、第１乃至第４の係合部５１，５２，５３，５４は、その先端部がチャッキングプレート本体部４２を可動自在とするともに、突部４３に係合する大きさに形成されている。
【００２９】
この第１乃至第４の係合部５１，５２，５３，５４は、図５に示すように、略均等な間隔を有して配置される。また、第１及び第２の係合部５１，５２は、回動支軸７に平行な中心線Ｌ１上に位置して設けられ、回動支軸７に直交する中心線Ｌ２に対して対称な位置に配置される。また、第３及び第４の係合部５３，５４は、回動支軸７に直交する中心線Ｌ２上に位置して設けられ、回動支軸７に平行な中心線Ｌ１に対して対称な位置に設けられる。ここで、回動支軸７に平行な中心線Ｌ１及び直交する中心線Ｌ２は、蓋体５が閉塞された状態において、チャッキングプレート１３の重心をディスク状記録媒体２に直交する方向Ｌ３に延長した位置を通る直線である。
【００３０】
第４の係合部５４は、第１乃至第３の係合部５１，５２，５３に比べて、突出する長さが長く形成されるとともに、弾性を発揮することで変位自在に形成されており、チャッキングプレート１３を蓋体５に取り付ける際に変位することで取り付け、又は、取り外しが可能な形状とされている。また、周壁５０は、第４の係合部５４が形成される部分５０ａが、第１乃至第３の係合部５１，５２，５３が形成される部分５０ｂに比較して高さが低くなるように段差部５０ｃが形成されており、この段差部５０ｃと弾性を有する第４の係合部５４により、チャッキングプレート１３の取り付け、取り外しが行い易いように形成されている。
【００３１】
尚、ここで、支持部材１４の周壁５０は、円筒状に形成されたがこれに限られるものではなく、第１乃至第４の係合部５１，５２，５３，５４を形成できるような形状であればよく、例えば、角筒状に形成してもよく、また、第１乃至第４の係合部をそれぞれ形成できるような第１乃至第４の壁部により形成してもよい。
【００３２】
また、支持部材１４の係合部は、４箇所に限られるものではなく、チャッキングプレート１３を支持可能な形状であればよい。例えば、第１乃至第３の係合部を円周上に３箇所設けられるように構成しても良い。
【００３３】
第１乃至第４の係合部５１，５２，５３，５４は、蓋体５が開放動作されたとき、チャッキングプレート１３の突部４３に当接することで、マグネット４４の吸引力によりディスク状記録媒体２側に吸引されたチャッキングプレート１３をディスク状記録媒体２から離間させる。
【００３４】
以上のように構成されたディスクプレーヤ１は、蓋体５が閉塞状態とされたとき、ディスク装着部４に装着されたディスク状記録媒体２が、チャッキングプレート１３及びターンテーブル１２の間に挟んで保持されて回転され、同時に、光ピックアップ６がディスク状記録媒体２の半径方向へ移動されて、ディスク状記録媒体２に対する記録動作又は再生動作を行う。
【００３５】
また、ディスクプレーヤ１は、閉塞状態から開放する際に、支持部材１４の第１乃至第４の係合部５１，５２，５３，５４が、チャッキングプレート１３を当接することにより、チャッキングプレート１３を、ターンテーブル１２との間に保持されたディスク状記録媒体２から離間させる。
【００３６】
次に、本発明を適用したディスクプレーヤ１の蓋体５の開閉動作について説明する。
【００３７】
まず、蓋体５がディスク装着部４を閉塞している状態、すなわち、記録又は再生が可能な状態について説明する。
【００３８】
蓋体５がディスク装着部４を閉塞しているときには、図２に示すように、チャッキングプレート１３に内蔵されたマグネット４４と、ターンテーブル１２に設けられた磁性材との間に吸引力により、チャッキングプレート１３がターンテーブル１２との間にディスク状記録媒体２を挟んで保持している。
【００３９】
このとき、チャッキングプレート１３は、蓋体５及び支持部材１４には接触せずに、ターンテーブル１２及びディスク状記録媒体２と回転できる状態となっている。
【００４０】
また、蓋体５は、付勢手段によりディスク装着部４を開放する方向である矢印Ｒ１方向に付勢されているが、ロック機構１８により、閉塞状態に保持されている。
【００４１】
次に、蓋体５が閉塞状態から開放操作されるときの動作について説明する。
【００４２】
上述のように、蓋体５がディスク装着部４を閉塞した状態において、蓋体５の押圧部５ａが押圧されると、ロック機構１８の係合部材１７への係合、すなわち、ロックが解除され付勢手段により開放する方向である矢印Ｒ１方向に付勢されている蓋体５は、開放方向である矢印Ｒ１方向に回動される。
【００４３】
蓋体５が開放方向である矢印Ｒ１方向に回動されると、図６に示すように、支持部材１４の第１乃至第４の係合部５１，５２，５３，５４は、チャッキングプレート１３に当接することで、チャッキングプレート１３を、ターンテーブル１２との間に保持されたディスク状記録媒体２から離間させる。
【００４４】
このように、ディスクプレーヤ１は、蓋体５を開放操作するとともに、チャッキングプレート１３を、ターンテーブル１２との間に保持されたディスク状記録媒体２から離間させることができる。
【００４５】
次に、蓋体５が開放状態から閉蓋状態にされるときの動作について説明する。
【００４６】
開放状態とされた蓋体５は、付勢手段の付勢力に対抗して、矢印Ｒ２方向に回動操作され、ディスク装着部４を閉塞したときに、係合部材１７がロック機構１８に係合されてロック状態とされる。
【００４７】
そして、蓋体５がディスク装着部４を閉塞したとき、チャッキングプレート１３は、内蔵したマグネット４４と、ターンテーブル１２に設けた磁性材との吸引力により、ターンテーブル１２との間にディスク状記録媒体２を挟んで保持して、光ピックアップ６がディスク状記録媒体２に対して、情報信号の記録又は再生が行うことが出来る状態とされる。
【００４８】
次に、蓋体５が閉塞状態であり、ディスク状記録媒体２が回転されているとき、すなわち、チャッキングプレート１３が回転されているときに、誤動作により、蓋体５が開放操作されたときの動作について説明する。
【００４９】
上述と同様に、蓋体５が開放方向である方向Ｒ１方向に回動されると、支持部材１４の第１乃至第４の係合部５１，５２，５３，５４は、チャッキングプレート１３に当接し、チャッキングプレート１３を、ターンテーブル１２との間に保持されたディスク状記録媒体２から離間させる。
【００５０】
ディスク状記録媒体２から離間されたチャッキングプレート１３は、慣性により回転を続けようとする回転力が未だ残っており、回転しながら、第１乃至第４の係合部５１，５２，５３，５４と当接することで、不安定な動きをし、支持部材１４に衝突する。しかし、このチャッキングプレート１３は、緩衝材により形成されているので、騒音の発生を防止することができ、さらに、緩衝材によりチャッキングプレート１３の回転を素早く停止させることができる。
【００５１】
このように、ディスクプレーヤ１は、蓋体５が誤動作により開放操作されるとともに、チャッキングプレート１３を、ターンテーブル１２との間に保持されたディスク状記録媒体２から離間させ、この際に発生する騒音の発生を防止でき、チャッキングプレート１３の回転をすぐに停止させることができる。
【００５２】
以上のように、本発明を適用したディスクプレーヤ１は、ディスク状記録媒体２の回転中に誤って蓋体５が開放動作されたとき、慣性により回転するチャッキングプレート１３と蓋体５の支持部材１４との衝突により発生する騒音を緩衝材により低減することができる。また、本発明を適用したディスクプレーヤ１は、ディスク状記録媒体２の回転中に誤って蓋体５が開放動作されたとき、慣性により回転する蓋体５の回転を緩衝材により素早く停止させることができる。
【００５３】
また、本発明を適用したディスクプレーヤ１は、チャッキングプレート１３及びターンテーブル１２の一方にマグネットを有し、他方に磁性材を有し、一方のマグネットが他方の部材を吸引することで、チャッキングプレート１３とターンテーブル１２との間にディスク状記録媒体２を確実に保持することができるとともに、ディスク状記録媒体２が回転中に誤って蓋体５が開放動作されたときに、チャッキングプレート１３と蓋体５の支持部材１４との衝突により発生する騒音を低減することができ、慣性により回転する蓋体５の回転を素早く停止させることができ、安全且つ確実な蓋体５の開放及び閉塞動作を行うことができる。
【００５４】
尚、上述では、チャッキングプレート１３を緩衝材により形成するように構成したが、これに限られるものではなく、チャッキングプレートと支持部材との当接する部分、すなわち、チャッキングプレートと支持部材との当接する部分のいずれか一方又は両方に緩衝材を設けるように構成すればよい。
【００５５】
例えば、図７に示すように、チャッキングプレートの突部及びディスク抑え部の対向する面、並びに、チャッキングプレート本体部に緩衝材を設けるように構成してもよい。図７に示すチャッキングプレート７０は、上述したチャッキングプレート１３と略同様の形状を有するものであり、略円盤状に形成されターンテーブル１２との間にディスク状記録媒体２を挟んで保持するディスク抑え部７１と、ディスク抑え部７１に比べて径が小さい断面円形状を有する円筒状に形成されるチャッキングプレート本体部７２と、チャッキングプレート本体部７２のディスク抑え部７１が設けられたのと反対側に形成され、蓋体５の支持部材１４に支持される円盤状に形成される突部７３とが設けられる。この突部７３は、チャッキングプレート本体部７２の断面に比べて径が大きな円盤状に形成され、支持部材１４の第１乃至第４の係合部５１，５２，５３，５４に係合され、チャッキングプレート１３を蓋体５に対して所定の隙間を有して取り付けるものである。
【００５６】
また、チャッキングプレート７０は、図７に示すように、チャッキングプレート本体部７２の内部に設けられ、ターンテーブル１２に設けた磁性材を吸引する吸引力を有する吸引部材としてマグネット７４と、このマグネット７４をチャッキングプレート７０に固定するためのマグネット抑え板７５と、マグネット抑え板７５をチャッキングプレート７０に固定するためのネジ７６とを有する。
【００５７】
チャッキングプレート７０は、樹脂等により形成されており、支持部材１４と当接する部分である、突部４３及びディスク抑え部４１の対向する面、並びに、チャッキングプレート本体部４２の外周面には、緩衝材として、上述したエラストマー等からなる硬度５０〜８０°の緩衝部材７７が貼り付けられている。
【００５８】
この緩衝部材７７は、チャッキングプレート７０の支持部材１４に当接する部分に貼り付けられる形状とされている。例えば、緩衝部材７７は、チャッキングプレート７０の形状に応じた形状に形成してもよいし、板状に形成された複数の部材により形成してもよい。
【００５９】
このチャッキングプレート７０を有するディスクプレーヤは、上述したディスクプレーヤ１と同様に、ディスク状記録媒体２の回転中に誤って蓋体５が開放動作されたとき、慣性により回転するチャッキングプレート７０と蓋体５の支持部材１４との衝突により発生する騒音を緩衝部材７７により低減することができ、さらに、慣性により回転する蓋体５の回転を素早く停止させることができる。
【００６０】
また、図８に示すように、チャッキングプレートを２部材により構成し、支持部材１４と当接する側を緩衝材により形成してもよい。
【００６１】
すなわち、図８及び図９に示す、チャッキングプレート８０は、略円盤状に形成されターンテーブル１２との間にディスク状記録媒体２を挟んで保持するディスク抑え部８１を構成する第１の部材８０ａと、ディスク抑え部８１のディスク状記録媒体２を挟む面と反対側の面を構成するとともに、ディスク抑え部８１に比べて径が小さい断面円形状を有する円筒状に形成されるチャッキングプレート本体部８２と、チャッキングプレート本体部８２のディスク抑え部８１が設けられたのと反対側に形成され、蓋体５の支持部材１４に支持される円盤状に形成される突部８３とを有する第２の部材８０ｂとからなる。この突部８３は、チャッキングプレート本体部８２の断面に比べて径が大きな円盤状に形成され、支持部材１４の第１乃至第４の係合部５１，５２，５３，５４に係合され、チャッキングプレート１３を蓋体５に対して所定の隙間を有して取り付けるものである。
【００６２】
また、チャッキングプレート８０は、図８に示すように、チャッキングプレート本体部８２の内部に設けられ、ターンテーブル１２に設けた磁性材を吸引する吸引力を有する吸引部材としてマグネット８４と、このマグネット８４をチャッキングプレート８０に固定するためのマグネット抑え板８５と、マグネット抑え板８５をチャッキングプレート８０に固定するとともに第１及び第２の部材８０ａ，８０ｂを一体化するための溶着ピン８９ａ及び溶着ピン用孔８９ｂとを有する。
【００６３】
チャッキングプレート８０の第１の部材８０ａは、樹脂等により形成されており、チャッキングプレート８０の第２の部材８０ｂ、すなわち、支持部材１４と当接する部分は、上述したエラストマー等からなる硬度５０〜８０°の緩衝材により形成されている。
【００６４】
第１の部材８０ａ及び第２の部材８０ｂは、図８及び図９に示すように、第１の部材８０ａに設けられた位置決めピン８８ａを第２の部材８０ｂに設けられた位置決めピン用孔８８ｂに挿通することで位置決めし、第１の部材８０ａに設けられた溶着ピン８９ａを第２の部材８０ｂに設けられた溶着ピン用孔８９ｂに挿通して溶着することで一体とされている。
【００６５】
このチャッキングプレート８０を有するディスクプレーヤは、上述したディスクプレーヤ１と同様に、ディスク状記録媒体２の回転中に誤って蓋体５が開放動作されたとき、慣性により回転するチャッキングプレート８０と蓋体５の支持部材１４との衝突により発生する騒音を第２の部材８０ｂを構成する緩衝材により低減することができ、さらに、慣性により回転する蓋体５の回転を素早く停止させることができる。
【００６６】
また、例えば、緩衝材は、図１０及び図１１に示すように、支持部材側に設けるように構成してもよい。以下の支持部材側に緩衝材を向ける場合には、チャッキングプレートとして、上述したチャッキングプレート７０の緩衝部材７７が設けられていないものを用いるものとして説明する。
【００６７】
図１０及び図１１に示す支持部材９０は、蓋体５の内面側に立ち上がり形成された円筒状の周壁９４と、この周壁９４の先端に内側に向けて突出してツメ状に形成され、略均等な間隔を有して配置された第１乃至第３の係合部９１，９２，９３とからなる。周壁９４は、チャッキングプレート７０の突部７３より大径に形成され、第１乃至第３の係合部９１，９２，９３は、その先端部がチャッキングプレート本体部７２を可動自在とするともに、突部７３に係合する大きさに形成されている。尚、ここで、係合部を３箇所設ける例について説明するが、これに限られるものではなく、４箇所以上設けるように構成してもよい。
【００６８】
第１乃至第３の係合部９１，９２，９３には、緩衝材として、上述したエラストマー等からなる硬度５０〜８０°の緩衝部材９７が設けられる。この緩衝部材９７は、第１乃至第３の係合部９１，９２，９３のチャッキングプレート７０と当接する部分を覆うキャップ状に形成されている。
【００６９】
この支持部材９０を有するディスクプレーヤは、上述したディスクプレーヤ１と同様に、ディスク状記録媒体２の回転中に誤って蓋体５が開放動作されたとき、慣性により回転するチャッキングプレート７０と蓋体５の支持部材９０との衝突により発生する騒音を緩衝部材９７により低減することができ、さらに、慣性により回転する蓋体５の回転を素早く停止させることができる。
【図面の簡単な説明】
【００７０】
【図１】本発明を適用したディスクプレーヤの蓋体が開放された状態を示す斜視図である。
【図２】本発明を適用したディスクプレーヤの蓋体が閉塞された状態を示す要部断面図である。
【図３】本発明を適用したディスクプレーヤのチャッキングプレートを示す断面図である。
【図４】本発明を適用したディスクプレーヤの蓋体及びチャッキングプレートを示す分解斜視図である。
【図５】本発明を適用したディスクプレーヤの蓋体及び支持部材を示す要部斜視図である。
【図６】本発明を適用したディスクプレーヤの蓋体が開放された状態を示す要部断面図である。
【図７】本発明を適用したディスクプレーヤを構成するチャッキングプレートの他の例を示す断面図である。
【図８】本発明を適用したディスクプレーヤを構成するチャッキングプレートの更に他の例を示す断面図である。
【図９】本発明を適用したディスクプレーヤを構成するチャッキングプレートの更に他の例を示す平面図である。
【図１０】本発明を適用したディスクプレーヤを構成する支持部材の他の例を示す断面図である。
【図１１】本発明を適用したディスクプレーヤを構成する支持部材の他の例を示す平面図である。
【符号の説明】
【００７１】
１  ディスクプレーヤ、  ２  ディスク状記録媒体、３  機器本体、  ４  ディスク装着部、  ５  蓋体、  ７  回動支軸、  １１  ディスク回転駆動部、  １２  ターンテーブル、  １３  チャッキングプレート、  １４  支持部材、  ２１  前面部、  ２３  上面部、  ４４  マグネット、  ５０  周壁、  ５１  第１の係合部、  ５２  第２の係合部、  ５３  第３の係合部、  ５４  第４の係合部
【図１】
2007052865.tif 000003
【図２】
2007052865.tif 000004
【図３】
2007052865.tif 000005
【図４】
2007052865.tif 000006
【図５】
2007052865.tif 000007
【図６】
2007052865.tif 000008
【図７】
2007052865.tif 000009
【図８】
2007052865.tif 000010
【図９】
2007052865.tif 000011
【図１０】
2007052865.tif 000012
【図１１】
2007052865.tif 000013